(57)【要約】【課題】蓄電池の蓄電残量の多少に応じてユーザー設定の選択肢を制限・制限緩和できるようにする。【解決手段】投影装置１は、蓄電池７と、蓄電池７の蓄電残量を検出する残量検出部８と、システムコントローラ３と、を備え、システムコントローラ３が、投影装置１の設定条件としての選択肢を複数有するユーザー設定の設定を行う設定手段と、残量検出部８によって検出された蓄電残量に基づいて、設定手段で設定されるユーザー設定に対応付けられている複数の選択肢の選択の許否を決定する許否決定手段と、許否決定手段で選択を禁止した選択肢と選択を許可した選択肢とをそれぞれ識別できるように報知する報知手段と、を有する。【選択図】図２
2014187488.tif 000002
【特許請求の範囲】
【請求項１】
電子機器において、
蓄電池と、
前記蓄電池の蓄電残量を検出する残量検出部と、
前記電子機器の設定条件としての選択肢を複数有するユーザー設定の設定を行う設定手段と、
前記残量検出部によって検出された蓄電残量に基づいて、前記設定手段で設定される前記ユーザー設定に対応付けられている前記複数の選択肢の選択の許否を決定する許否決定手段と、
前記許否決定手段で選択を禁止した選択肢と選択を許可した選択肢とをそれぞれ識別できるように報知する報知手段と、
を備える、
ことを特徴とする電子機器。
【請求項２】
前記ユーザー設定の前記選択肢毎に、それぞれ異なる消費電力が設定されている
ことを特徴とする請求項１に記載の電子機器。
【請求項３】
前記残量検出手段により検出された蓄電残量と、前記選択肢を区別するための所定の閾値とを比較し、前記残量検出部によって検出された蓄電残量が前記閾値を超えると判断した場合は前記選択肢のうち前記閾値を超えたものに対応する選択肢を許可し、前記残量検出部によって検出された蓄電残量が前記閾値以下であると判断した場合に前記選択肢のうち前記閾値を超えたものに対応する選択肢の選択を禁止することを特徴とする請求項２に記載の電子機器。
【請求項４】
前記選択肢として高消費電力設定及び低消費電力設定があり、
前記許否決定手段は、前記残量検出部によって検出された蓄電残量を前記所定の閾値と比較して、前記残量検出部によって検出された蓄電残量が前記閾値を超えると判断した場合に前記高消費電力設定及び前記低消費電量設定の選択を許可し、前記残量検出部によって検出された蓄電残量が前記閾値以下であると判断した場合に前記低消費電力設定の選択を許可するとともに前記高消費電力設定の選択を禁止することを特徴とする請求項２または３に記載の電子機器。
【請求項５】
映像を投影する投影装置本体部を更に備え、
前記ユーザー設定の前記選択肢毎に、それぞれ異なる前記投影装置本体部の出力輝度が設定されている
ことを特徴とする請求項１から４のいずれか一項に記載の電子機器。
【請求項６】
前記選択肢として高輝度設定及び低輝度設定があり、
前記許否決定手段は、前記残量検出部によって検出された蓄電残量を所定の閾値と比較して、前記残量検出部によって検出された蓄電残量が前記閾値を超えると判断した場合に前記高輝度設定及び前記低輝度設定の選択を許可し、前記残量検出部によって検出された蓄電残量が前記閾値以下であると判断した場合に前記低輝度設定の選択を許可するとともに前記高輝度設定の選択を禁止することを特徴とする請求項５に記載の電子機器。
【請求項７】
前記ユーザー設定の前記選択肢毎にそれぞれ異なる計時時間が設定されている
ことを特徴とする請求項１から５の何れか一項に記載の電子機器。
【請求項８】
前記選択肢として所定の設定時間があり、
前記許否決定手段は、前記残量検出部によって検出された蓄電残量を所定の閾値と比較して、前記残量検出部によって検出された蓄電残量が前記閾値を超えると判断した場合に前記設定時間の選択を許可し、前記残量検出部によって検出された蓄電残量が前記閾値以下であると判断した場合に前記設定時間の選択を禁止する
ことを特徴とする請求項７に記載の電子機器。
【請求項９】
前記閾値により表される前記蓄電池の蓄電残量で前記電子機器の動作可能な残り時間に前記閾値を換算した場合にその換算値と前記設定時間が等しい
ことを特徴とする請求項８に記載の電子機器。
【請求項１０】
前記選択肢としての前記設定時間の数が複数であり、前記閾値の数が複数であり、複数の前記設定時間と複数の前記閾値とが互いに１対１で対応し、
前記許否決定手段は、前記残量検出部によって検出された蓄電残量と複数の前記閾値との比較の結果に基づき、複数の前記閾値にそれぞれ対応する複数の前記設定時間の選択の許否を決める
ことを特徴とする請求項８又は９に記載の電子機器。
【請求項１１】
前記選択肢として設定時間があり、
前記許否決定手段は、前記残量検出部によって検出された蓄電残量を所定の低閾値及びそれよりも高い高閾値と比較して、前記残量検出部によって検出された蓄電残量が前記高閾値を超えると判断した場合に前記設定時間の選択を許可し、前記残量検出部によって検出された蓄電残量が前記高閾値以下且つ前記低閾値を超えると判断した場合に前記設定時間の選択を条件付きで許可し、前記残量検出部によって検出された蓄電残量が前記低閾値以下である判断した場合に前記設定時間の選択を禁止し、
前記報知手段は、前記許否決定手段で選択を条件付きで許可した選択肢を識別できるように報知することを特徴とする請求項７から１０の何れか一項に記載の電子機器。
【請求項１２】
映像を投影する投影装置本体部を更に備え、
前記投影装置本体部の出力輝度の設定を高輝度設定にした状態の前記電子機器が前記高閾値により表される前記蓄電池の蓄電残量で動作可能な残り時間に前記高閾値を換算した場合にその換算値と前記設定時間が等しく、
前記投影装置本体部の出力輝度の設定を低輝度設定にした状態の前記電子機器が前記低閾値により表される前記蓄電池の蓄電残量で動作可能な残り時間に前記低閾値を換算した場合にその換算値と前記設定時間が等しい
ことを特徴とする請求項１１に記載の電子機器。
【請求項１３】
前記条件は、前記投影装置本体部の出力輝度の設定が高輝度設定から低輝度設定に変更されることである、
ことを特徴とする請求項１１又は１２に記載の電子機器。
【請求項１４】
前記選択肢としての前記設定時間の数が複数であり、前記高閾値の数が複数であり、前記低閾値の数が複数であり、複数の前記設定時間と複数の前記高閾値と複数の前記低閾値がそれぞれ１対１対１で対応し、
前記許否決定手段は、前記残量検出部によって検出された蓄電残量と複数の前記高閾値及び前記低閾値との比較の結果に基づき、複数の前記高閾値にそれぞれ対応する複数の前記設定時間の選択の許否を決める
ことを特徴とする請求項１１から１３の何れか一項に記載の電子機器。
【請求項１５】
前記電子機器が前記蓄電池の電力で動作している場合に、前記許否決定手段が、前記残量検出部によって検出された蓄電残量に基づいて前記ユーザー設定の選択肢の選択の許否を決定し、前記報知手段が前記許否決定手段で選択を禁止した選択肢と選択を許可した選択肢とをそれぞれ識別できるように報知することを特徴とする請求項１から１４の何れか一項に記載の電子機器。
【請求項１６】
コンピュータと蓄電池と前記蓄電池の残量を検出する残量検出部とを有する電子機器の前記コンピュータに、
前記電子機器の設定条件としての選択肢を複数有するユーザー設定の設定を行う設定工程と、
前記残量検出部によって検出された蓄電残量に基づいて、前記設定工程で設定される前記ユーザー設定に対応付けられている前記複数の選択肢の選択の許否を決定する許否決定工程と、
前記許否決定工程で選択を禁止した選択肢と選択を許可した選択肢とをそれぞれ識別できるように報知する報知工程と、
を実行させるためのプログラム。
【請求項１７】
電子機器に備わる残量検出部によって前記電子機器に備わる蓄電池の残量を検出する工程と、
前記電子機器の設定条件としての選択肢を複数有するユーザー設定の設定を行うことを前記電子機器のコンピュータに実行させる工程と、
前記残量検出部によって検出された蓄電残量に基づいて、前記設定工程で設定される前記ユーザー設定に対応付けられている前記複数の選択肢の選択の許否を決定することを前記コンピュータに実行させる工程と、
前記許否決定工程で選択を禁止した選択肢と選択を許可した選択肢とをそれぞれ識別できるように報知することを前記コンピュータに実行させる報知工程と、を含むことを特徴とする選択許否決定方法。
【発明の詳細な説明】
【技術分野】
【０００１】
本発明は、電子機器、プログラム及び選択許否決定方法に関する。
【背景技術】
【０００２】
特許文献１には、蓄電池を内蔵した投影装置が開示されている。この投影装置はスライドショーを投影するものである。スライドショーの投影所要時間がその蓄電池の電圧から推定された投影装置の投影可能時間よりも長くなると、投影装置の光源の消費電流が制御回路によって自動的に減じられて、その光源の輝度が制御回路によって自動的に低下する。
【先行技術文献】
【特許文献】
【０００３】
【特許文献１】特開２００７−７８８０７号公報
【発明の概要】
【発明が解決しようとする課題】
【０００４】
特許文献１には、蓄電池の蓄電残量が少なくなった場合のユーザー設定について開示されていない。ユーザー設定とは、ユーザーの好みに合わせてカスタマイズすることができる機器の各種設定である。
そこで、本発明が解決しようとする課題は、蓄電池の蓄電残量の多少に応じてユーザー設定の選択肢を制限・制限緩和できるようにすることである。
【課題を解決するための手段】
【０００５】
以上の課題を解決するために、本発明に係る電子機器は、蓄電池と、前記蓄電池の蓄電残量を検出する残量検出部と、前記電子機器の設定条件としての選択肢を複数有するユーザー設定の設定を行う設定手段と、前記残量検出部によって検出された蓄電残量に基づいて、前記設定手段で設定される前記ユーザー設定に対応付けられている前記複数の選択肢の選択の許否を決定する許否決定手段と、前記許否決定手段で選択を禁止した選択肢と選択を許可した選択肢とをそれぞれ識別できるように報知する報知手段と、
を備える。
【０００６】
本発明に係るプログラムは、コンピュータと蓄電池と前記蓄電池の残量を検出する残量検出部とを有する電子機器の前記コンピュータに、前記電子機器の設定条件としての選択肢を複数有するユーザー設定の設定を行う設定工程と、前記残量検出部によって検出された蓄電残量に基づいて、前記設定工程で設定される前記ユーザー設定に対応付けられている前記複数の選択肢の選択の許否を決定する許否決定工程と、前記許否決定工程で選択を禁止した選択肢と選択を許可した選択肢とをそれぞれ識別できるように報知する報知工程と、を実行させるためのものである。
【０００７】
本発明に係る選択許否決定方法は、電子機器に備わる残量検出部によって前記電子機器に備わる蓄電池の残量を検出する工程と、前記電子機器の設定条件としての選択肢を複数有するユーザー設定の設定を行うことを前記電子機器のコンピュータに実行させる工程と、前記残量検出部によって検出された蓄電残量に基づいて、前記設定工程で設定される前記ユーザー設定に対応付けられている前記複数の選択肢の選択の許否を決定することを前記コンピュータに実行させる工程と、前記許否決定工程で選択を禁止した選択肢と選択を許可した選択肢とをそれぞれ識別できるように報知することを前記コンピュータに実行させる報知工程と、を含むことを特徴とする。
【発明の効果】
【０００８】
本発明によれば、蓄電池の蓄電残量の多少に応じてユーザー設定の選択肢を制限・制限緩和することができる。
【図面の簡単な説明】
【０００９】
【図１】本発明の第１実施形態に係る電子機器の使用状態を示す斜視図である。
【図２】同電子機器のブロック図である。
【図３】同電子機器に備わるコンピュータが実行する処理の流れを説明するためのフロー図である。
【図４】本発明の第２実施形態、及び第３実施形態に係る電子機器の使用状態を示す斜視図である。
【図５】同電子機器によって表示されるユーザー設定表示領域を示す図面である。
【図６】同電子機器に備わるコンピュータが実行する処理の流れを説明するためのフロー図である。
【図７】同電子機器によって表示されるユーザー設定表示領域を示す図面である。
【図８】同電子機器に備わるコンピュータが実行する処理の流れを説明するためのフロー図である。
【発明を実施するための形態】
【００１０】
以下に、本発明を実施するための形態について、図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１１】
〔第１の実施の形態〕
図１は投影装置１の使用状態を示す斜視図である。
この投影装置１は電子機器である。外部機器９９が投影装置１に接続されている。外部機器９９によって生成された映像が映像信号として外部機器９９から投影装置１へ転送され、その映像信号に基づいた映像９８が投影装置１によってスクリーンに投影される。投影装置１によって映像９８の投影光９６の輝度（明るさ）は調整することができる。つまり、ユーザー９０が投影装置１の操作部６を操作して、投影光９６の輝度を増減することができる。
【００１２】
ユーザー９０が投影装置１の操作部６の操作によって投影光９６の輝度を段階的に調整することができ、投影光９６の輝度に関するユーザー設定の選択肢が複数ある。すなわち、投影装置１の動作の設定条件としての選択肢が複数ある。具体的には、投影光９６の輝度を２段階に調整することができ、投影光９６の輝度に関するユーザー設定の選択肢として高輝度設定（第１選択肢）及び低輝度設定（第２選択肢）がある。ユーザー９０が操作部６を操作することによってユーザー設定を高輝度設定（高輝度モード）に設定した場合には、高輝度の投影光９６が投影装置１によって投影される。一方、ユーザー９０が操作部６を操作することによってユーザー設定を低輝度設定（低輝度モード）に設定した場合には、低輝度の投影光９６が投影装置１によって投影される。高輝度設定における投影光９６は低輝度設定における投影光９６よりも輝度が高い。なお、本発明は、投影光９６の輝度に関するユーザー設定の段階数を２段階に限定するものではない。
【００１３】
高輝度設定は高消費電力設定であり、低輝度設定は低消費電力設定である。つまり、投影光９６の輝度に関するユーザー設定が高輝度設定に選択された場合の投影装置１の消費電力は、投影光９６の輝度に関するユーザー設定が低輝度設定に選択された場合の投影装置１の消費電力よりも高い。
【００１４】
投影装置１には蓄電池（二次電池）７が内蔵され、この蓄電池７に充電することができる。この投影装置１は蓄電池７の電力を利用して動作する。外部電源（例えば、電力会社又は送電会社等から供給される商用電源）９１が投影装置１に接続されると、その外部電源９１から電力が投影装置１に供給され、投影装置１の蓄電池７が充電されつつ、投影装置１が外部電源９１の電力を利用して動作する。
【００１５】
蓄電池７に蓄電された残量が多いと、投影光９６の輝度に関するユーザー設定の選択肢が制限されない。つまり、投影光９６の輝度に関するユーザー設定において高輝度設定の選択及び低輝度設定の選択が許可される。よって、ユーザーが操作部６を操作することによって、投影光９６の輝度に関するユーザー設定に高輝度設定と低輝度設定のどちらかを選択することができる。
【００１６】
一方、蓄電池７に蓄電された残量が少ないと、投影光９６の輝度に関するユーザー設定の選択肢が制限される。つまり、投影光９６の輝度に関するユーザー設定において低輝度設定の選択が許可されるが、高輝度設定の選択が禁止される。よって、ユーザーが操作部６を操作することによって、投影光９６の輝度に関するユーザー設定に低輝度設定を選択することができるが、高輝度設定を選択することができない。
【００１７】
蓄電池７の蓄電残量（充電残量）が多いか少ないかは、所定の閾値を基準として判断される。つまり、蓄電池７に蓄電された残量が所定の閾値を超えれば、投影光９６の輝度に関するユーザー設定において高輝度設定及び低輝度設定の選択が許可される。一方、蓄電池７に蓄電された残量が所定の閾値以下であれば、投影光９６の輝度に関するユーザー設定において低輝度設定の選択が許可されるが、高輝度設定の選択が禁止される。つまり、所定の閾値は、選択肢の選択可否の判断基準であって、選択肢を区別するためのものである。高輝度設定は、所定閾値を超えたものに対応し、低輝度設定は、所定閾値以下であるものに対応する。なお、蓄電池７に蓄電された残量はその蓄電残量で投影装置１が動作することができる残り時間に換算することができるので、その蓄電残量がその残り時間に相当し、閾値が時間を単位とする閾値に換算される。
【００１８】
投影装置１の動作中に投影光９６の輝度のユーザー設定が高輝度設定に選択されている状態で蓄電池７の蓄電残量が所定の閾値以下になった場合には、投影装置１が次の（１）又は（２）のどちらかのように動作する。
【００１９】
（１）  投影光９６の輝度に関するユーザー設定が自動的に低輝度設定に変更され、投影光９６の輝度が低下する。その後、蓄電池７の蓄電残量が所定の閾値を超えない限り、高輝度設定を選択することが禁止される。
【００２０】
（２）  投影光９６の輝度に関するユーザー設定が高輝度設定に維持され、投影光９６の輝度が高輝度に維持される。そして、ユーザー９０が操作部６を操作して低輝度設定を選択すると、その後、蓄電池７の蓄電残量が所定の閾値を超えない限り、高輝度設定を選択することが禁止される。
【００２１】
投影光９６の輝度の調整の際には、ユーザー設定表示領域９７が映像９８の中に表示される。ユーザー設定表示領域９７は投影装置１によって生成されたものである。つまり、ユーザー設定表示領域９７を表示するための信号が映像信号に重畳されることによって、ユーザー設定表示領域９７が映像９８の中に表示される。
【００２２】
ユーザー設定表示領域９７には、投影光９６の輝度に関するユーザー設定の複数の選択肢（高輝度設定及び低輝度設定）が表示される。それら選択肢のうち現在選択された選択肢と選択されていない選択肢とが識別して表示される。具体的には、選択された選択肢の背景に白以外の色又は模様が付され、選択されていない選択肢の背景に白色が付されている。
【００２３】
ユーザー設定表示領域９７に表示された選択肢のうち選択が許可された選択肢と選択が禁止された選択肢とが識別して表示される。例えば、選択が許可された選択肢を表す文字が黒色で表示され、選択が禁止された選択肢を表す文字が灰色又は半透明で表示される。
【００２４】
よって、ユーザー９０がユーザー設定表示領域９７を見ながら操作部６を操作することによって投影光９６の輝度を調整することができる。なお、ユーザー設定表示領域９７の表示内容が、投影装置１に設けられた表示装置（例えば、液晶ディスプレイ）又は信号灯（例えば、表示内容に応じて点滅、点灯又は消灯をする発光ダイオード）に表示されてもよい。
【００２５】
投影装置１は映像９８の画調（画質）を調整することができるものである。ユーザー９０が投影装置１の操作部６を操作して、映像９８の画調を調整することができる。設定可能な画調は、シネマ調、スポーツ観戦調、フォト調、ゲーム調、コンピューターグラフィック調等である。つまり、画調に関するユーザー設定の選択肢として、シネマ調、スポーツ観戦調、フォト調、ゲーム調及びコンピューターグラフィック調がある。
【００２６】
図２は、投影装置１のブロック図である。
投影装置１は、投影装置本体部２、システムコントローラ３、プログラムメモリ４、操作部６、蓄電池７、充電制御部８及び電源装置９等を備える。
【００２７】
蓄電池７は例えば鉛蓄電池、リチウムイオン二次電池、リチウムイオンポリマー二次電池、ニッケル・水素蓄電池、ニッケル・カドミウム蓄電池、ニッケル・鉄蓄電池、ニッケル・亜鉛蓄電池又は酸化銀・亜鉛蓄電池である。
【００２８】
電源装置９は、直流の出力電圧を一定に保つ安定化電源である。つまり、電源装置９は、外部電源９１から入力した交流電力の電圧を低下させ、その交流電力を一定電圧の直流電力に変換し、その直流電力を充電制御部８に出力する。電源装置９は、投影装置１の筐体内に設けられていてもよいし、その筐体の外に設けられてもよい。電源装置９が投影装置１の外に設けられている場合には、配線によって電源装置９が充電制御部８に接続される。電源装置９が外部電源９１に接続されていない場合には、電源装置９から充電制御部８に直流電力が供給されない。
【００２９】
充電制御部８は、蓄電池７の充電・放電を制御する回路である。つまり、充電制御部８は、電源装置９から供給された直流電力の一部を投影装置１の各部（システムコントローラ３、プログラムメモリ４、操作部６及び投影装置本体部２等）に供給するとともに、電源装置９から供給された直流電力の一部を蓄電池７に充電する。電源装置９から充電制御部８に直流電力が供給されない場合には、充電制御部８が蓄電池７に充電された電力を投影装置１の各部（システムコントローラ３、プログラムメモリ４、操作部６及び投影装置本体部２等）に供給する。
【００３０】
充電制御部８は蓄電池７の蓄電残量を検出し、その蓄電残量を表す信号（以下、残量信号という。）をシステムコントローラ３に出力する。つまり、充電制御部８は蓄電残量検出部である。
また、充電制御部８は、電源装置９から直流電力が供給されているか否かを表す信号（つまり、充電中であるか否かを表す信号である。以下、充電有無信号という。）をシステムコントローラ３に出力する。電源装置９から充電制御部８に直流電力が供給されている場合には、充電有無信号が「１（充電中）」を示し、電源装置９から充電制御部８に直流電力が供給されていない場合には、充電有無信号が「ゼロ（充電中でない）」を示す。
【００３１】
操作部６は、ユーザー９０により入力を受け付ける入力装置であり、例えば複数のスイッチ（押しボタン）若しくはダイヤル等からなる。ユーザー９０が操作部６を操作すると、操作部６が操作内容に応じた信号を無線又は有線によりシステムコントローラ３に出力する。操作部６が投影装置１の筐体に設けられているか、その筐体に対して別体に設けられている。
【００３２】
投影装置本体部２は、外部機器９９によって出力された映像信号を入力し、その映像信号に基づいた映像をスクリーンに投影する。この投影装置本体部２は、映像入力端子２１、映像信号変換部２２、映像信号処理部（スケーラ）２３、表示コントローラ２４、表示素子２５、光源制御部２６、光源装置２７及び投影レンズ２８等を有する。
【００３３】
投影装置本体部２はＤＭＤ型投影装置本体部、ＬＣＤ型投影装置本体部又はＬＣＯＳ（エルコス：Liquid crystal on silicon：LCoSは商標)型投影装置本体部である。ＤＭＤ型投影装置本体部とは、表示素子２５にＤＭＤ（デジタル・マイクロミラー・デバイス）を利用したものである。ＬＣＤ型投影装置本体部とは、表示素子２５に透過型ＬＣＤパネル（液晶表示素子パネル）を利用したものである。ＬＣＯＳ型投影装置本体部とは、表示素子２５に反射型ＬＣＤパネルを利用したものである。
【００３４】
映像入力端子２１が投影装置１の筐体に設けられている。外部機器９９の映像出力端子が映像信号ケーブル９９ａ（図１参照）を介して映像入力端子２１に接続されて、外部機器９９によって出力された映像信号が映像入力端子２１に入力される。
【００３５】
映像信号変換部２２、映像信号処理部２３、表示コントローラ２４、表示素子２５、光源制御部２６及び光源装置２７は、投影装置１の筐体内に設けられている。映像信号変換部２２は、映像入力端子２１によって入力されたアナログ映像信号をデジタル映像信号に変換するとともに、そのデジタル映像信号或いは映像入力端子２１に入力されたデジタル映像信号を所定のフォーマットに変換する。
【００３６】
映像信号処理部２３は、映像信号変換部２２によって出力された映像信号に対して各種の信号処理を行う。例えば、映像信号処理部２３は、ユーザー設定表示領域９７（図１参照）を表示する信号（この信号はシステムコントローラ３によって生成される）をシステムコントローラ３から入力して、その信号を映像信号変換部２２から入力した映像信号に重畳して、ユーザー設定表示領域９７を映像９８に合成する。また、映像信号処理部２３は、映像信号変換部２２から入力した映像信号のスケーリングを行って、映像信号の画素数（解像度）を増減する。また、映像信号処理部２３は、スケーリングされた映像信号に基づく映像の座標変換（例えば、射影変換）を行うことによって、キーストーン補正若しくはフィッティング補正又はこれらの両方を行う。映像信号処理部２３によって信号処理された映像信号は表示コントローラ２４に転送される。
【００３７】
表示素子２５は空間光変調素子であり、より具体的にはＤＭＤ、透過型ＬＣＤパネル又は反射型ＬＣＤパネルである。表示素子２５は二次元アレイ状に配列された複数の画素などを有する。表示素子２５がＤＭＤである場合には、表示素子２５の画素が可動マイクロミラーであり、表示素子２５が透過型ＬＣＤパネル又は反射型ＬＣＤパネルである場合には、表示素子２５の画素が液晶素子である。
【００３８】
表示コントローラ２４は、映像信号処理部２３から入力した映像信号に基づいて表示素子２５を駆動する。例えば表示コントローラ２４が映像信号処理部２３から入力した映像信号に従って表示素子２５の画素毎にＰＷＭ制御又はＰＮＭ制御等をすることで、表示素子２５に照射される光が画素によって画素毎に変調される。これにより、表示素子２５によって映像が形成される。
【００３９】
表示素子２５の数は一又は複数（例えば３）である。
【００４０】
光源装置２７が表示素子２５に向けて可視光を照射するものである。具体的には、光源装置２７は時分割方式又は色分離方式のものである。
【００４１】
光源装置２７が色分離方式である場合、光源装置２７が白色光源及び色分離器等を有し、白色光源から発した白色光が色分離器によって複数色（例えば、赤色、緑色、青色）の光に分離される。この場合、表示素子２５の数が複数であり、これら表示素子２５が各色の映像をそれぞれ生成し、各色の光が表示素子２５にそれぞれ照射され、表示素子２５をそれぞれ透過又は反射した各色の光が合成される。その合成された投影光９６が投影レンズ２８によってスクリーンに投影されることによって、カラーの映像９８がそのスクリーンに映る。
【００４２】
光源装置２７が時分割方式である場合、光源装置２７が互いに異なる色の可視光（例えば、赤色光、緑色光、青色光）を順次繰り返して表示素子２５に照射し、その繰り返しの１周期は表示素子２５によって１フレームのカラー映像が生成される期間に相当する。この場合、表示素子２５の数が一であり、表示素子２５が互いに異なる色の映像を順次繰り返して生成する。より具体的には、表示素子２５は、光源装置２７によって出射される光の色と同じ色の映像をその光の出射タイミングに同期させて生成する。表示素子２５を透過又は反射した各色の光が時間で合成され、その合成された投影光９６が投影レンズ２８によってスクリーンに投影されることによって、カラーの映像９８がスクリーンに映る。
【００４３】
光源装置２７が時分割方式である場合、光源装置２７がカラーフィルタ方式又はカラー光源方式のものとなる。光源装置２７がカラーフィルタ方式である場合、光源装置２７がカラーフィルタ、スピンドルモータ及び白色光源等を有し、カラーフィルタがスピンドルモータによって回転され、白色光源から発した白色光が回転中のカラーフィルタを通過することによって、白色光が各色（赤色、緑色、青色）に順次繰り替えし変換される。光源装置２７がカラー光源方式である場合、光源装置２７が互いに異なる色の複数の光源（例えば、赤色光源、緑色光源、青色光源）を有し、これらの光源が順次繰り返し点灯する。
【００４４】
光源装置２７に利用される光源は、半導体発光素子（例えば、レーザーダイオード、発光ダイオード）又はランプ（例えば、ハロゲンランプ、キセノンランプ、メタルハライド、水銀ランプ、放電灯）であるか、半導体発光素子又はランプに蛍光体を組み合わせたものをいう。
【００４５】
光源制御部２６は光源装置２７の輝度を制御する。つまり、システムコントローラ３が輝度を表す調光信号を光源制御部２６に出力し、光源制御部２６がシステムコントローラ３から入力した調光信号に応じた輝度で光源装置２７を発光させる。
【００４６】
また、光源装置２７が時分割方式である場合には、光源制御部２６が表示コントローラ２４から入力したタイミング信号に基づき光源装置２７の各色光の出射タイミングを制御する。これにより、光源装置２７によって出射される光は、それと同じ色の映像が表示素子２５によって生成されるタイミングに同期する。
【００４７】
投影レンズ２８は、フォーカシングの調整が可能であるともに、焦点距離の調整が可能である。
【００４８】
システムコントローラ３はＣＰＵ及び記憶装置等を有する演算処理装置（コンピュータ）である。
プログラムメモリ４は不揮発性の半導体メモリー又は磁気記憶装置である。プログラムメモリ４にはプログラム５が格納されている。
システムコントローラ３がプログラムメモリ４にアクセすることによってプログラム５を読み取る。システムコントローラ３がプログラムメモリ４に従った処理を実行する。これにより、システムコントローラ３が映像信号処理部２３、表示コントローラ２４及び光源制御部２６を統合的に制御する。
【００４９】
続いて、プログラム５に基づいてシステムコントローラ３が実行する処理について説明する。
【００５０】
図３は許否決定処理のフローチャートである。まず、システムコントローラ３が、充電制御部８から入力した充電有無信号に基づいて充電の有無判断する（ステップＳ１）。この際、電源装置９から充電制御部８に電力が供給されている場合には（ステップＳ１：ＹＥＳ）、システムコントローラ３が選択肢のうち高輝度設定及び低輝度設定の選択を許可するとともに（ステップＳ３）、高輝度設定及び低輝度設定の選択を許可したことを記憶する。その後、システムコントローラ３の処理がステップＳ１に戻る。
【００５１】
一方、電源装置９から充電制御部８に電力が供給されていない場合には（ステップＳ１：ＮＯ）、システムコントローラ３が、充電制御部８によって検出された蓄電残量に基づいて、投影装置本体部２（特に光源装置２７）の出力輝度に関するユーザー設定の選択肢（高輝度設定及び低輝度設定）の選択の許否を決定する（ステップＳ３〜ステップＳ５参照）。
【００５２】
すなわち、まず、システムコントローラ３が、充電制御部８によって検出された蓄電残量を所定閾値と比較する（ステップＳ３）。つまり、システムコントローラ３は、充電制御部８によって出力された残量信号のレベルを所定閾値と比較する。
【００５３】
比較の結果、蓄電残量が所定閾値を超える旨がシステムコントローラ３によって判断されると（ステップＳ３：ＹＥＳ）、システムコントローラ３が選択肢のうち高輝度設定及び低輝度設定の選択を許可する（ステップＳ４）。そして、システムコントローラ３は、高輝度設定及び低輝度設定の選択を許可したことを記憶する。その後、システムコントローラ３の処理がステップＳ１に戻る。
【００５４】
一方、比較の結果、蓄電残量が所定閾値以下である旨がシステムコントローラ３によって判断されると（ステップＳ３：ＮＯ）、システムコントローラ３が選択肢のうち低輝度設定の選択を許可し、高輝度設定の選択を禁止する（ステップＳ５）。そして、システムコントローラ３は、低輝度設定の選択を許可し且つ高輝度設定の選択を禁止したことを記憶する。その後、システムコントローラ３の処理がステップＳ１に戻る。
【００５５】
システムコントローラ３は図３に示す許否決定処理を繰り返し実行する。
【００５６】
電源装置９から充電制御部８に電力が供給されているか否かに関わらず、ユーザー９０が操作部６の操作によりユーザー設定モードのコマンドを入力すると、システムコントローラ３がユーザー設定処理を実行する。ユーザー設定処理は、図３に示す処理が１回以上行われた後に行われる。但し、許否決定処理が繰り返し行われているので、ユーザー設定処理は許否決定処理と並行して行われることもある。なお、図３のステップＳ２，Ｓ４，Ｓ５に続いて、ユーザー設定処理が行われてもよい。
ユーザー設定処理は、投影装置本体部２（特に、光源装置２７）の出力輝度に関するユーザー設定の選択肢の中から１つを選択するための処理である。以下、ユーザー設定処理について具体的に説明する。
【００５７】
まず、システムコントローラ３がユーザー設定表示領域９７の表示信号を生成し、その表示信号を映像信号処理部２３に出力する。これにより、ユーザー設定表示領域９７の表示信号が映像信号処理部２３によって映像信号に重畳され、投影される映像９８にユーザー設定表示領域９７が合成される。
【００５８】
この際、システムコントローラ３は、図３に示す許否決定処理による記憶結果に基づいて複数の選択肢（高輝度設定及び低輝度設定）の表示態様を決めて、その表示態様に従ったユーザー設定表示領域９７の表示信号を生成する。具体的には、選択が許可された選択肢（ステップＳ２又はステップＳ４の場合には高輝度設定及び低輝度設定であり、ステップＳ５の場合には低輝度設定である）と、選択が禁止された選択肢（ステップＳ２又はステップＳ４の場合には禁止された選択肢がなく、ステップＳ５の場合には高輝度設定である）とが識別可能な表示態様となるような表示信号をシステムコントローラ３が生成し、その表示信号を映像信号処理部２３に出力する。すなわち、前記許否決定手段で選択を禁止した選択肢と選択を許可した選択肢とをそれぞれ識別できるように報知する。なお、選択が許可された選択肢がユーザー設定表示領域９７に表示され、選択が禁止された選択肢がユーザー設定表示領域９７に表示されないという表示態様であってもよい。
【００５９】
その後、ユーザー９０が操作部６を操作することによって、何れか１つの選択肢（高輝度設定と低輝度設定のどちらか１つ）を選択する。つまり、ユーザー９０が操作部６を操作することによって操作内容に応じた信号がシステムコントローラ３に出力され、システムコントローラ３がその信号に基づき何れか１つの選択肢を選択する。この際、システムコントローラ３は、図３に示す許否決定処理の結果により禁止された選択肢を選択することを受け付けず、図３に示す許否決定処理の結果により許可された選択肢を選択することを受け付ける。
【００６０】
そして、システムコントローラ３が、選択された選択肢に従った輝度を表す調光信号を光源制御部２６に出力する。そうすると、光源制御部２６がシステムコントローラ３から入力した調光信号に応じた輝度で光源装置２７を発光させる。つまり、投影装置本体部２の出力輝度に関するユーザー設定がユーザー９０による操作部６の操作によって高輝度設定に設定された場合には、光源装置２７が高輝度で発光し、高輝度の投影光９６が投影される。また、投影装置本体部２の出力輝度に関するユーザー設定がユーザー９０による操作部６の操作によって低輝度設定に設定された場合には、光源装置２７が低輝度で発光し、低輝度の投影光９６が投影される。なお、ユーザー設定がユーザー９０による操作部６の操作によって高輝度設定と低輝度設定のどちらに設定された場合でも、システムコントローラ３がユーザー設定の内容を記憶する。
【００６１】
本実施形態によれば以下のような効果が生じる。
【００６２】
（ａ）  蓄電池７の蓄電残量が少なければ、ユーザー設定において高輝度設定の選択が禁止されるので、投影装置１の利用可能時間を延ばすことができる。
【００６３】
（ｂ）  蓄電池７の蓄電残量が多ければ、ユーザー設定において高輝度設定の選択が許可されるので、投影光９６を明るくして投影装置１を快適に利用することができる。
【００６４】
（ｃ）  蓄電池７の蓄電残量の多少に応じてカスタマイズのバリエーションを変更することができる。つまり、蓄電池７の蓄電残量が多ければ、ユーザー設定において高輝度設定及び低輝度設定の選択が許可され、蓄電池７の蓄電残量が少なければ、ユーザー設定において高輝度設定の選択が禁止され、且つ低輝度設定の選択が許可されるので、蓄電池７の蓄電残量が多い場合における輝度に関するカスタマイズのバリエーションと、蓄電池７の蓄電残量が少ない場合における輝度に関するカスタマイズのバリエーションとを異ならせることができる。
【００６５】
〔変形例１〕
上述の実施の形態では、投影光９６の輝度を２段階に調整可能であったが、３段階以上に調整可能であってもよい。つまり、投影装置本体部２の出力輝度に関するユーザー設定の選択肢の数が２であったが、３以上であってもよい。この場合、蓄電残量と比較される閾値の数が選択肢の数に１を減じて得られた値であり、これら閾値が段階的に準備されている。
【００６６】
例えば、投影光９６の輝度を３段階に調整可能である場合には、投影装置本体部２の出力輝度に関するユーザー設定の選択肢として高輝度設定、中輝度設定及び低輝度設定があり、検出された蓄電残量がシステムコントローラ３によって高閾値及び低閾値（高閾値＞低閾値）と比較される。そして、検出された蓄電残量が高閾値を超える場合には、ユーザー設定において高輝度設定、中輝度設定及び低輝度設定の選択が許可され、検出された蓄電残量が低閾値を超え且つ高閾値以下である場合には、ユーザー設定において中輝度設定及び低輝度設定の選択が許可され且つ高輝度設定の選択が禁止され、検出された蓄電残量が低閾値以下である場合には、ユーザー設定において低輝度設定の選択が許可され且つ高輝度設定及び中期度設定の選択が禁止される。
【００６７】
〔変形例２〕
システムコントローラ３が、充電制御部８によって検出された蓄電残量に基づいて、ロムアップデート（システムプログラムのアップデート）の実行に関するユーザー設定の選択肢（例えば、第１選択肢：ロムアップデートの自動実行、第２選択肢：ロムアップデートの手動実行、第３選択肢：ロムアップデートの実行禁止）の選択の許否を決定してもよい。例えば、充電制御部８によって検出された蓄電残量が高閾値を超えていれば、ユーザー設定で第１選択肢〜第３選択肢を選択することが許可される。充電制御部８によって検出された蓄電残量が高閾値以下且つ低閾値（但し、高閾値＞低閾値）を超えていれば、ユーザー設定で第２選択肢及び第３選択肢の選択をすることが許可され、ユーザー設定で第１選択肢の選択をすることが禁止される。充電制御部８によって検出された蓄電残量が低閾値以下であれば、ユーザー設定で第３選択肢の選択をすることが許可され、ユーザー設定で第１選択肢及び第２選択肢の選択をすることが禁止される。
【００６８】
〔変形例３〕
システムコントローラ３が、充電制御部８によって検出された蓄電残量に基づいて、ジェスチャーセンサーのオン・オフ設定に関するユーザー設定の選択肢（例えば、第１選択肢：ジェスチャーセンサーをオン設定、第２選択肢：ジェスチャーセンサーをオフ設定）の選択の許否を決定してもよい。例えば、充電制御部８によって検出された蓄電残量が閾値を超えていれば、ユーザー設定で第１選択肢及び第２選択肢を選択することが許可され、充電制御部８によって検出された蓄電残量が閾値以下であれば、ユーザー設定で第２選択肢を選択することが許容され、第１選択肢を選択することが禁止される。
【００６９】
〔第２の実施の形態〕
第２実施形態と第１実施形態との間で互いに対応するものに同一の符号を付す。
【００７０】
第２実施形態に係る投影装置１は、第１実施形態に係る投影装置１と同様に構成されている（図２参照）。但し、第２実施形態に係るプログラムメモリ４に格納されたプログラム５と、第１実施形態に係るプログラムメモリ４に格納されたプログラム５が相違する。また、第２実施形態においてプログラム５に従ってシステムコントローラ３が実行する処理は、第１実施形態においてプログラム５に従ってシステムコントローラ３が実行する処理と相違する。
【００７１】
第１実施形態では、ユーザー設定が投影装置本体部２（特に光源装置２７）の出力輝度に関するものであり、ユーザー設定の選択肢の許否が蓄電池７の蓄電残量に基づいて決定された。それに対して、第２実施形態では、ユーザー設定が計時時間（設定時間）に関するものであり、ユーザー設定の選択肢の許否が蓄電池７の蓄電残量に基づいて決定される。
【００７２】
図４は、第２実施形態に係る投影装置１の使用状態を示す斜視図である。
【００７３】
ユーザー９０が投影装置１によって投影される映像９８を用いて投影を行う。映像９８には計時中の表示時間９５が表示されている。表示時間９５が投影装置１によって表示されたものである。つまり、表示時間９５を表示するための信号が投影装置１によって映像信号に重畳されることによって、表示時間９５が映像９８の中に表示される。計時機能が投影装置１に搭載され、表示時間９５が投影装置１によって計時された時間を表す。表示時間９５の数値が時間経過に伴って刻々変化する。
【００７４】
計時がカウントアップ式の計時であれば、表示時間９５が計時開始時刻（特に、講演開始時刻）から現在時刻までの時間を表し、計時がカウントダウン式の計時であれば、表示時間９５が現在時刻から計時終了時刻（特に講演終了予定時刻）までの時間を表す。よって、ユーザー９０が表示時間９５を目視で確認することによって、講演開始からの時間及び講演の残り時間を認識しながら講演をすることができる。
【００７５】
ユーザーが計時開始前に投影装置１の操作部６を操作することによって計時時間（設定時間）を段階的に増減することができ、計時時間に関するユーザー設定の選択肢が複数ある。具体的には、計時時間を４段階に増減することができ、計時時間に関するユーザー設定の選択肢として第１設定時間（第１選択肢）、第２設定時間（第２選択肢）、第３設定時間（第３選択肢）及び第４設定時間（第４選択肢）がある。第１設定時間、第２設定時間、第３設定時間及び第４設定時間の値は互いに異なり、「第１設定時間＞第２設定時間＞第３設定時間＞第４設定時間」を満たす。例えば、第１設定時間、第２設定時間、第３設定時間及び第４設定時間がそれぞれ１００分、８０分、６０分及び４０分である。ユーザー９０が操作部６を操作することによってユーザー設定に第１設定時間を設定した場合には、その第１設定時間の計時が投影装置１によって行われ、計時中の表示時間９５が映像９８に表示される。第２設定時間、第３設定時間又は第４設定時間についても同様である。但し、本発明は、計時時間に関するユーザー設定の段階数を４段階に限定するものではない。
【００７６】
なお、設定時間が長くなればなるほど投影装置１が駆動していなくてはならない時間が長くなり消費電力値は大きくなる。すなわち、各設定時間が選択されることによる消費電力値の大小は、第１設定時間＞第２設定時間＞第３設定時間＞第４設定時間となる。
【００７７】
蓄電池７の蓄電残量の多少が所定の閾値を基準として判断され、選択肢の選択の許否が蓄電池７の蓄電残量と所定の閾値との比較に基づいて決定される（下記表参照）。
【表１】
2014187488.tif 000003
【００７８】
上記の表１に示すように、蓄電池７に蓄電された残量が第１閾値を超えれば、計時時間に関するユーザー設定において第１設定時間、第２設定時間、第３設定時間及び第４設定時間の選択が許可される。
また、蓄電池７に蓄電された残量が第１閾値以下且つ第２閾値（但し、第１閾値＞第２閾値）を超えれば、計時時間に関するユーザー設定において第２設定時間、第３設定時間及び第４設定時間の選択が許可されるが、第１設定時間の選択が禁止される。
また、蓄電池７に蓄電された残量が第２閾値以下且つ第３閾値（但し、第２閾値＞第３閾値）を超えれば、計時時間に関するユーザー設定において第３設定時間及び第４設定時間の選択が許可されるが、第１設定時間及び第２設定時間の選択が禁止される。
また、蓄電池７に蓄電された残量が第３閾値以下且つ第４閾値（但し、第３閾値＞第４閾値）を超えれば、計時時間に関するユーザー設定の選択において第４設定時間の選択が許可されるが、第１設定時間、第２設定時間及び第３設定時間の選択が禁止される。
また、蓄電池７に蓄電された残量が第４閾値以下であれば、計時時間に関するユーザー設定において第１設定時間、第２設定時間、第３設定時間及び第４設定時間の選択が禁止される。
【００７９】
蓄電池７に蓄電された残量はその蓄電残量で投影装置１が動作することができる残り時間に換算することができるので、その蓄電残量がその残り時間に相当する。また、充電制御部８が蓄電池７に蓄電された残量を検出するので、充電制御部８はその検出残量から投影装置１の動作可能な残り時間に換算する換算部（換算手段）に相当する。
ここで、第１閾値の蓄電残量で投影装置１が動作可能な残り時間に第１閾値を換算すると、その換算値は第１設定時間に等しい。つまり、蓄電池７に蓄電された残量が第１閾値を超えることは、投影装置１の動作可能な残り時間が第１設定時間を超えることに相当し、蓄電池７に蓄電された残量が第１閾値以下であることは、投影装置１の動作可能な残り時間が第１設定時間以下であることに相当する。同様に、第２閾値を残り時間に換算すると、その換算値は第２設定時間に等しい。第３閾値を残り時間に換算すると、その換算値は第３設定時間に等しい。第４閾値を残り時間に換算すると、その換算値は第４設定時間に等しい。
【００８０】
第１閾値、第２閾値、第３閾値、第４閾値、第１設定時間、第２設定時間、第３設定時間及び第４設定時間の関係について以下の表にまとめる。
【表２】
2014187488.tif 000004
【００８１】
上述したように、投影装置１の動作可能な残り時間が第１設定時間を超える場合（蓄電池７に蓄電された残量が第１閾値を超える場合）には、計時時間に関するユーザー設定において第１設定時間の選択が許可される。よって、ユーザー設定が第１設定時間に設定され、更にその第１設定時間の計時が開始した場合でも、蓄電池７に蓄電された残量が無くなる前にその計時が終了する。つまり、第１設定時間の計時が終了する前に投影装置１の充電切れが発生することを防止することができる。投影装置１の動作可能な残り時間が第２設定時間、第３設定時間又は第４設定時間を超える場合も同様である。
【００８２】
計時時間（設定時間）を増減する際には、図５に示すようなユーザー設定表示領域９７が投影装置１によって映像９８に合成される。ユーザー設定表示領域９７には、計時時間に関するユーザー設定の複数の選択肢（第１設定時間、第２設定時間、第３設定時間及び第４設定時間）が表示される（図５に示す「タイマー設定時間」の行を参照）。それら選択肢のうち現在選択された選択肢と選択されていない選択肢とが識別して表示される。具体的には、選択された選択肢の背景に白以外の色又は模様が付され、選択されていない選択肢の背景に白色が付されている。
【００８３】
ユーザー設定表示領域９４に表示された選択肢のうち選択が許可された選択肢と選択が禁止された選択肢とが識別して表示される。例えば、選択が許可された選択肢を表す文字が黒色で表示され、選択が禁止された選択肢を表す文字が灰色又は半透明で表示される。
【００８４】
ユーザー９０がユーザー設定表示領域９７を見ながら操作部６を操作することによって計時時間を増減することができる。
【００８５】
ユーザー設定表示領域９７には、タイマー開始アイコン及びタイマーリセットアイコンが表示されている。ユーザー９０が操作部６を操作することによってタイマー開始アイコン又はタイマーリセットアイコンを選択すると、選択された選択肢（第１〜第４の設定時間の何れか）の計時が開始されるまたは計時がリセットされる。
【００８６】
また、ユーザー設定表示領域９７には、表示時間９５（図４参照）の表示位置に関する選択肢（「左上」、「左下」、「右上」、「右下」）が表示されている。ユーザー９０がユーザー設定表示領域９７を見ながら操作部６を操作することによって何れかの選択肢に選択すると、選択された選択肢の位置に表示時間９５が表示される。
【００８７】
続いて、プログラム５に基づいてシステムコントローラ３が実行する処理について説明する。図６は、システムコントローラ３によって実行される判定処理のメインルーチンのフローチャートである。
【００８８】
図６に示すように、システムコントローラ３が、充電制御部８から入力した充電有無信号に基づいて充電の有無判断する（ステップＳ１０１）。この際、電源装置９から充電制御部８に電力が供給されている場合に（ステップＳ１０１：ＹＥＳ）、システムコントローラ３が第１〜第４の設定時間の選択を許可して、第１〜第４の設定時間の選択を許可したことを記憶する（ステップＳ１０２）。その後、システムコントローラ３の処理がステップＳ１０１に戻る。
【００８９】
一方、電源装置９から充電制御部８に電力が供給されていない場合に（ステップＳ１０１：ＮＯ）、システムコントローラ３が図６の許否決定処理を実行し（ステップＳ１００、これらの処理が終了したら、システムコントローラ３の処理がステップＳ１０１に戻る。
よって、システムコントローラ３は図６に示す許否決定処理を繰り返し実行する。
【００９０】
続いて許否決定処理について説明する。なお、蓄電残量と第１閾値との比較（S１０１A〜S１０３A）、蓄電残量と第２閾値との比較（S１０１B〜S１０３B）、蓄電残量と第３閾値との比較（S１０１C〜S１０３C）、蓄電残量と第４閾値との比較（S１０１D〜S１０３D）の処理が本実施形態とは異なる所定の順序で逐次実行されてもよいし、蓄電残量と第１閾値との比較（S１０１A〜S１０３A）、蓄電残量と第２閾値との比較（S１０１B〜S１０３B）、蓄電残量と第３閾値との比較（S１０１C〜S１０３C）、蓄電残量と第４閾値との比較（S１０１D〜S１０３D）の処理が夫々並行してシステムコントローラ３によって実行されてもよい。
【００９１】
図６に示すように、システムコントローラ３が、充電制御部８によって検出された蓄電残量に基づいて、計時時間に関するユーザー設定の選択肢（第１設定時間、第２設定時間、第３設定時間及び第４設定時間）の選択の許否を決定する（ステップＳ１０１Ａ〜ステップＳ１０３Ａ、ステップＳ１０１Ｂ〜ステップＳ１０３Ｂ、ステップＳ１０１Ｃ〜ステップＳ１０３Ｃ、ステップＳ１０１Ｄ〜ステップＳ１０３Ｄ参照）。
【００９２】
図７を参照して、選択肢としての第１設定時間の選択の許否の決定処理について詳細に説明する。第１設定時間の選択の許否の決定に際しては第１閾値が利用される。つまり、システムコントローラ３が、充電制御部８によって検出された蓄電残量を第１閾値と比較する（ステップＳ１０１Ａ）。
【００９３】
比較の結果、蓄電残量が第１閾値を超える旨がシステムコントローラ３によって判断されると（ステップＳ１０１Ａ：ＹＥＳ）、システムコントローラ３が第１設定時間の選択を許可する（ステップＳ１０２Ａ）。そして、システムコントローラ３は、第１設定時間の選択を許可したことを記憶する。そして、充電制御部８によって検出された蓄電残量を第２閾値と比較するステップ（S１０１Ｂ）に進む。
【００９４】
一方、比較の結果、蓄電残量が第１閾値以下である旨がシステムコントローラ３によって判断されると（ステップＳ１０１Ａ：ＮＯ）、システムコントローラ３が第１設定時間の選択を禁止する（ステップＳ１０３Ａ）。そして、システムコントローラ３は、第１設定時間の選択を禁止したことを記憶する。そして、充電制御部８によって検出された蓄電残量を第２閾値と比較するステップ（S１０１Ｂ）に進む。
【００９５】
第２設定時間の選択の許否の決定に際しては第２閾値が利用され、第３設定時間の選択の許否の決定に際しては第３閾値が利用され、第４設定時間の選択の許否の決定に際しては第４閾値が利用される。図６に示すように、システムコントローラ３が充電制御部８によって検出された蓄電残量を第２閾値、第３閾値及び第４閾値と順に比較することによって第２設定時間、第３設定時間及び第４設定時間の選択の許否を決定する処理は、システムコントローラ３が充電制御部８によって検出された蓄電残量を第１閾値と比較することによって第１設定時間の選択の許否を決定する処理と同じである。つまり、ステップＳ１０１Ｂ〜ステップＳ１０３Ｂ、ステップＳ１０１Ｃ〜ステップＳ１０３Ｃ、ステップＳ１０１Ｄ〜ステップＳ１０３Ｄは、ステップＳ１０１Ａ〜ステップＳ１０３Ａにそれぞれ対応する
【００９６】
電源装置９から充電制御部８に電力が供給されているか否かに関わらず、ユーザー９０が操作部６の操作によりユーザー設定モードのコマンドを入力すると、システムコントローラ３がユーザー設定処理を実行する。ユーザー設定処理は、図６に示す処理が１回以上行われた後に行われる。但し、図６に示す処理が繰り返し行われているので、ユーザー設定処理は許否決定処理（ステップＳ１００）と並行して行われることもある。なお、図６のステップＳ１０２，Ｓ１０２Ｄ，Ｓ１０３Ｄに続いて、ユーザー設定処理が行われてもよい。
ユーザー設定処理は、計時時間に関するユーザー設定の選択肢（第１設定時間、第２設定時間、第３設定時間及び第４設定時間）の中から１つを選択するための処理である。以下、ユーザー設定処理について具体的に説明する。
【００９７】
まず、システムコントローラ３がユーザー設定表示領域９４の表示信号を生成し、その表示信号を映像信号処理部２３に出力する。これにより、ユーザー設定表示領域９４の表示信号が映像信号処理部２３によって映像信号に重畳され、投影される映像９８にユーザー設定表示領域９４が合成される。
【００９８】
この際、システムコントローラ３は、図６に示す処理による記憶結果（ステップＳ１０２、ステップ１０２Ａ，Ｓ１０３Ａ，Ｓ１０２Ｂ，Ｓ１０３Ｂ，Ｓ１０２Ｃ，Ｓ１０３Ｃ，Ｓ１０２Ｄ，Ｓ１０３Ｄ参照）に基づいて複数の選択肢（第１設定時間、第２設定時間、第３設定時間及び第４設定時間）の表示態様を決めて、その表示態様に従ったユーザー設定表示領域９４の表示信号を生成する。具体的には、選択が許可された選択肢と、選択が禁止された選択肢とが識別可能な表示態様となるような表示信号をシステムコントローラ３が生成し、その表示信号を映像信号処理部２３に出力する。すなわち、前記許否決定手段で選択を禁止した選択肢と選択を許可した選択肢とをそれぞれ識別できるように報知する。なお、選択が許可された選択肢がユーザー設定表示領域９４に表示され、選択が禁止された選択肢がユーザー設定表示領域９４に表示されないという表示態様であってもよい。
【００９９】
その後、ユーザー９０が操作部６を操作することによって、何れかの１つの選択肢を選択する。つまり、ユーザー９０が操作部６を操作することによって操作内容に応じた信号がシステムコントローラ３に出力され、システムコントローラ３がその信号に基づき何れか１つの選択肢を選択する。この際、システムコントローラ３は、図６に示す許否決定処理の結果により禁止された選択肢に選択することを受け付けず、図６に示す許否決定処理の結果により許可された選択肢に選択することを受け付ける。
【０１００】
そして、ユーザー９０が操作部６を操作することによってタイマー開始アイコンを選択すると、システムコントローラ３が選択された選択肢（第１設定時間、第２設定時間、第３設定時間又は第４設定時間の何れか）の計時を開始する。計時中は、システムコントローラ３が表示時間９５を表示するための表示信号を生成して、その表示信号を映像信号処理部２３に出力する。そうすると、表示時間９５の表示信号が映像信号処理部２３によって映像信号に重畳され、投影される映像９８に表示時間９５が合成される。
【０１０１】
本実施形態によれば以下のような効果が生じる。
【０１０２】
（ａ）  蓄電池７の蓄電残量が多くなるほど、計時時間を長くすることができる。蓄電池７の蓄電残量が少なくなるほど、計時時間を短くすることができる。よって、蓄電池７の蓄電残量の多少に応じて、計時に関するカスタマイズのバリエーションを変更することができる。
【０１０３】
（ｂ）  投影装置１の動作可能な残り時間が第１設定時間以下になると、計時時間に関するユーザー設定において第１設定時間の選択が禁止されるので、計時途中で投影装置１の充電切れが発生することを防止することができる。投影装置１の動作可能な残り時間が第２設定時間、第３設定時間又は第４設定時間以下になる場合でも同様である。
【０１０４】
〔第３の実施の形態〕
第３実施形態と第１実施形態との間で互いに対応するものに同一の符号を付す。
【０１０５】
第３実施形態に係る投影装置１は、第１実施形態に係る投影装置１と同様に構成されている（図２参照）。但し、第３実施形態に係るプログラムメモリ４に格納されたプログラム５と、第１実施形態に係るプログラムメモリ４に格納されたプログラム５が相違する。また、第３実施形態においてプログラム５に従ってシステムコントローラ３が実行する処理は、第１実施形態においてプログラム５に従ってシステムコントローラ３が実行する処理と相違する。
【０１０６】
第１実施形態では、ユーザー設定が投影装置本体部２（特に光源装置２７）の出力輝度に関するものであり、ユーザー設定の選択肢の許否が蓄電池７の蓄電残量に基づいて決定された。それに対して、第３実施形態では、ユーザー設定が計時時間（設定時間）に関するものであり、ユーザー設定の選択肢の許否が蓄電池７の蓄電残量に基づいて決定される。
【０１０７】
第３実施形態に係る投影装置１の使用状態を示す斜視図を図４に示す。
【０１０８】
投影装置本体部２（特に光源装置２７）の出力輝度を２段階に調整可能なものである。つまり、ユーザー９０が投影装置１の操作部６を操作することによって、投影装置本体部２の出力輝度を高輝度設定と低輝度設定の何れかに選択することができる。投影装置本体部２の出力輝度の設定が高輝度設定である場合の投影光９６の輝度は、投影装置本体部２の出力輝度の設定が低輝度設定である場合の投影光９６の輝度よりも高い。高輝度設定は高消費電力設定であり、低輝度設定は低消費電力設定である。なお、投影装置本体部２の出力輝度に関するユーザー設定が高輝度設定と低輝度設定のどちらに設定された場合でも、システムコントローラ３がユーザー設定の内容を記憶する。
【０１０９】
ユーザー９０が投影装置１によって投影される映像９８を用いて投影を行う。映像９８には計時中の表示時間９５が表示されている。表示時間９５が投影装置１によって表示されたものである。つまり、表示時間９５を表示するための信号が投影装置１に入力された映像信号に重畳されることによって、表示時間９５が映像９８に合成される。計時機能が投影装置１に搭載され、表示時間９５が投影装置１によって計時された時間を表す。表示時間９５の数値が時間経過に伴って刻々変化する。計時がカウントアップ式又はカウントダウン式である。よって、ユーザー９０が表示時間９５を目視で確認することによって、講演開始からの時間及び講演の残り時間を認識しながら講演をすることができる。
【０１１０】
ユーザーが計時開始前に投影装置１の操作部６を操作することによって計時時間（設定時間）を段階的に増減することができ、計時時間に関するユーザー設定の選択肢が複数ある。具体的には、計時時間を４段階に増減することができ、計時時間についてのユーザー設定の選択肢として第１設定時間、第２設定時間、第３設定時間及び第４設定時間がある。これらの計時時間は、第２の実施形態と同様のものであり、説明は省略する。
【０１１１】
投影装置本体部２の出力輝度設定が低輝度設定である場合、計時時間に関するユーザー設定の選択肢の許否は第２実施形態の場合と同様に決定される。
つまり、蓄電池７に蓄電された残量が低輝度設定用第１閾値を超えれば、計時時間に関するユーザー設定において第１設定時間、第２設定時間、第３設定時間及び第４設定時間の選択が許可される。
また、蓄電池７に蓄電された残量が低輝度設定用第１閾値以下且つ低輝度設定用第２閾値（但し、低輝度設定用第１閾値＞低輝度設定用第２閾値）を超えれば、計時時間に関するユーザー設定において第２設定時間、第３設定時間及び第４設定時間の選択が許可されるが、第１設定時間の選択が禁止される。
また、蓄電池７に蓄電された残量が低輝度設定用第２閾値以下且つ低輝度設定用第３閾値（但し、低輝度設定用第２閾値＞低輝度設定用第３閾値）を超えれば、計時時間に関するユーザー設定において第３設定時間及び第４設定時間の選択が許可されるが、第１設定時間及び第２設定時間の選択が禁止される。
また、蓄電池７に蓄電された残量が低輝度設定用第３閾値以下且つ低輝度設定用第４閾値（但し、低輝度設定用第３閾値＞低輝度設定用第４閾値）を超えれば、計時時間に関するユーザー設定において第４設定時間の選択が許可されるが、第１設定時間、第２設定時間及び第３設定時間の選択が禁止される。
蓄電池７に蓄電された残量が低輝度第４閾値以下であれば、計時時間に関するユーザー設定において第１設定時間、第２設定時間、第３設定時間及び第４設定時間の選択が禁止される。
【０１１２】
投影装置本体部２の出力輝度設定が高輝度設定に選択されている場合、計時時間に関するユーザー設定の選択肢の許否は以下の（１）〜（４）ように決定される（下記の表３参照）。
【０１１３】
（１）第１設定時間の選択の許否について
蓄電池７に蓄電された残量が高輝度設定用第１閾値（高輝度設定用第１閾値＞低輝度設定用第１閾値）を超えれば、計時時間に関するユーザー設定において第１設定時間の選択が許可される。
蓄電池７に蓄電された残量が高輝度設定用第１閾値以下且つ低輝度設定用第１閾値超えれば、計時時間に関するユーザー設定において第１設定時間の選択が条件付きで許可される。条件とは、投影装置本体部２の出力輝度の設定が高輝度設定から低輝度設定に変更されることである（以下の（２）〜（４）の場合に挙げる条件も同様である）。
蓄電池７に蓄電された残量が低輝度設定用第１閾値以下であれば、計時時間に関するユーザー設定において第１設定時間の選択が禁止される。
ここで、高輝度設定用第１閾値が高閾値であり、低輝度設定用第１閾値が低閾値である。
【０１１４】
（２）第２設定時間の選択の許否について
蓄電池７に蓄電された残量が高輝度設定用第２閾値（高輝度設定用第２閾値＞低輝度設定用第２閾値、高輝度設定用第２閾値＜高輝度設定用第１閾値）を超えれば、計時時間に関するユーザー設定において第２設定時間の選択が許可される。
蓄電池７に蓄電された残量が高輝度設定用第２閾値以下且つ低輝度設定用第２閾値を超えれば、計時時間に関するユーザー設定において第２設定時間の選択が条件付きで許可される。
蓄電池７に蓄電された残量が低輝度設定用第２閾値以下であれば、計時時間に関するユーザー設定において第２設定時間の選択が禁止される。
ここで、高輝度設定用第２閾値が高閾値であり、低輝度設定用第２閾値が低閾値である。
【０１１５】
（３）第３設定時間の選択の許否について
蓄電池７に蓄電された残量が高輝度設定用第３閾値（高輝度設定用第３閾値＞低輝度設定用第３閾値、高輝度設定用第３閾値＜高輝度設定用第２閾値）を超えれば、計時時間に関するユーザー設定において第３設定時間の選択が許可される。
蓄電池７に蓄電された残量が高輝度設定用第３閾値以下且つ低輝度設定用第３閾値を超えれば、計時時間に関するユーザー設定において第３設定時間の選択が条件付きで許可される。
蓄電池７に蓄電された残量が低輝度設定用第３閾値以下であれば、計時時間に関するユーザー設定において第３設定時間の選択が禁止される。
ここで、高輝度設定用第３閾値が高閾値であり、低輝度設定用第３閾値が低閾値である。
【０１１６】
（４）第４設定時間の選択の許否について
蓄電池７に蓄電された残量が高輝度設定用第４閾値（高輝度設定用第４閾値＞低輝度設定用第４閾値、高輝度設定用第４閾値＜高輝度設定用第３閾値）を超えれば、計時時間に関するユーザー設定において第４設定時間の選択が許可される。
蓄電池７に蓄電された残量が高輝度設定用第４閾値以下且つ低輝度設定用第４閾値を超えれば、計時時間に関するユーザー設定において第４設定時間の選択が条件付きで許可される。
蓄電池７に蓄電された残量が低輝度設定用第４閾値以下であれば、計時時間に関するユーザー設定において第４設定時間の選択が禁止される。
ここで、高輝度設定用第４閾値が高閾値であり、低輝度設定用第４閾値が低閾値である。
【０１１７】
【表３】
2014187488.tif 000005
【０１１８】
蓄電池７に蓄電された残量が高輝度設定残り時間及び低輝度設定残り時間に換算することができるので、その蓄電残量が高輝度設定残り時間及び低輝度設定残り時間に相当する。高輝度設定残り時間とは、投影装置本体部２（特に、光源装置２７）の輝度設定が高輝度設定である場合に投影装置１が蓄電池７の蓄電残量で動作することができる時間である。低輝度設定残り時間とは、投影装置本体部２（特に、光源装置２７）の輝度設定が低輝度設定である場合に投影装置１が蓄電池７の蓄電残量で動作することができる時間である。高輝度設定残り時間から換算される蓄電残量と低輝度設定残り時間から換算される蓄電残量とが互いに等しければ、その高輝度設定残り時間がその低輝度設定残り時間よりも短い。
充電制御部８が蓄電池７に蓄電された残量を検出するので、充電制御部８はその検出残量から投影装置１の動作可能な高輝度設定残り時間及び低輝度設定残り時間に換算する換算部（換算手段）に相当する。
【０１１９】
ここで、高輝度設定用第１閾値の蓄電残量で投影装置１が動作可能な高輝度設定残り時間に高輝度設定用第１閾値を換算すると、その換算値は第１設定時間に等しい。つまり、蓄電池７に蓄電された残量が高輝度設定用第１閾値を超えることは、投影装置１の動作可能な高輝度設定残り時間が第１設定時間を超えることに相当し、蓄電池７に蓄電された残量が高輝度設定用第１閾値以下であることは、投影装置１の動作可能な高輝度設定残り時間が第１設定時間以下であることに相当する。同様に、高輝度設定用第２閾値を高輝度設定残り時間に換算すると、その換算値は第２設定時間に等しい。高輝度第３閾値を高輝度設定残り時間に換算すると、その換算値は第３設定時間に等しい。高輝度設定用第４閾値を高輝度設定残り時間に換算すると、その換算値は第４設定時間に等しい。
【０１２０】
また、低輝度設定用第１閾値の蓄電残量で投影装置１が動作可能な低輝度設定残り時間に低輝度設定用第１閾値を換算すると、その換算値は第１設定時間に等しい。つまり、蓄電池７に蓄電された残量が低輝度設定用第１閾値を超えるであることは、投影装置１の動作可能な低輝度設定残り時間が第１設定時間を超えることに相当し、蓄電池７に蓄電された残量が低輝度設定用第１閾値以下であることは、投影装置１の動作可能な低輝度設定残り時間が第１設定時間以下であることに相当する。同様に、低輝度設定用第２閾値を低輝度設定残り時間に換算すると、その換算値は第２設定時間に等しい。低輝度設定用第３閾値を低輝度設定残り時間に換算すると、その換算値は第３設定時間に等しい。低輝度設定用第４閾値を低輝度残り時間に換算すると、その換算値は第４設定時間に等しい。
【０１２１】
高輝度設定用第１閾値、高輝度設定用第２閾値、高輝度設定用第３閾値、高輝度設定用第４閾値、低輝度設定用第１閾値、低輝度設定用第２閾値、低輝度設定用第３閾値、低輝度設定用第４閾値、第１設定時間、第２設定時間、第３設定時間及び第４設定時間の関係について以下の表にまとめる。
【表４】
2014187488.tif 000006
【０１２２】
上述したように、投影光９６の輝度が高輝度に設定された投影装置１の動作可能な残り時間が第１設定時間を超える場合、又は、投影光９６の輝度が低輝度に設定された投影装置１の動作可能な残り時間が第１設定時間を越える場合（蓄電池７に蓄電された残量が高輝度設定用第１閾値を超える場合、又は、蓄電池７に蓄電された残量が低輝度設定用第１閾値を超える場合）、計時時間に関するユーザー設定において第１設定時間の選択が許可される。そのため、第１設定時間の計時が終了する前に投影装置１の充電切れが発生することを防止することができる。第２設定時間、第３設定時間又は第４設定時間の選択が許可される場合についても同様である。
【０１２３】
計時時間（設定時間）を増減する際には、図７に示すようなユーザー設定表示領域９３が投影装置１によって映像９８に合成される。ユーザー設定表示領域９３には、計時時間に関するユーザー設定の複数の選択肢が表示される。それら選択肢のうち現在選択された選択肢と選択されていない選択肢とが識別して表示される。ユーザー９０がユーザー設定表示領域９３を見ながら操作部６を操作することによって計時時間を増減することができる。
【０１２４】
また、ユーザー設定表示領域９３に表示された選択肢のうち選択が許可された選択肢と、条件付きで選択が許可された選択肢と、選択が禁止された選択肢とが識別して表示される。例えば、選択が許可された選択肢に丸印が付され、条件付きで選択が許可された選択肢に三角印が付され、選択が禁止された選択肢にバツ印が付される。また、選択が禁止された選択肢を表す文字が黒色で表示され、選択が禁止された選択肢を表す文字が灰色又は半透明で表示される。
【０１２５】
また、ユーザー９０が操作部６を操作することによってユーザー設定表示領域９３中のタイマー開始アイコンを選択すると、選択された選択肢（第１〜第４の設定時間の何れか）の計時が開始される。一方、計時中にユーザー９０が操作部６を操作することによってユーザー設定表示領域９３中のタイマーリセットアイコンを選択すると、計時がリセットされる。また、ユーザー設定表示領域９３には、表示時間９５の表示位置に関する選択肢が表示され、ユーザー９０が操作部６を操作することによって何れかの選択肢に選択すると、選択された選択肢の位置に表示時間９５が表示される。
【０１２６】
続いて、プログラム５に基づいてシステムコントローラ３が実行する処理について説明する。図８は、システムコントローラ３によって実行される判定処理のメインルーチンのフローチャートである。
【０１２７】
図８に示すように、システムコントローラ３が、充電制御部８から入力した充電有無信号に基づいて充電の有無判断する（ステップＳ２０１）。この際、電源装置９から充電制御部８に電力が供給されている場合に（ステップＳ２０１：ＹＥＳ）、システムコントローラ３が第１〜第４の設定時間の選択を許可して、第１〜第４の設定時間の選択を許可したことを記憶する（ステップＳ２０２）。その後、システムコントローラ３の処理がステップＳ２０１に戻る。
【０１２８】
一方、電源装置９から充電制御部８に電力が供給されていない場合には（ステップＳ２０１：ＮＯ）、システムコントローラ３は、投影装置本体部２（特に光源装置２７）の輝度に関するユーザー設定が低輝度設定と高輝度設定のどちらであるかを判定する（ステップＳ２０３）。この判定は、システムコントローラ３に記憶された内容に基づいて行われるか、システムコントローラ３から光源制御部２６へ出力される調光信号に基づいて行われる。
【０１２９】
投影装置本体部２（特に光源装置２７）の輝度設定が低輝度設定である場合には（ステップＳ２０３：ＹＥＳ）、第２実施形態における許否決定処理（図６のS100参照）が、システムコントローラ３によって実行される（ステップＳ２０４）。この場合、第２実施形態において図６を参照した許否決定処理の説明中、「第１閾値」とあるのは「低輝度設定用第１閾値」と、「第２閾値」とあるのは「低輝度設定用第２閾値」と、「第３閾値」とあるのは「低輝度設定用第３閾値」と、「第４閾値」とあるのは「低輝度設定用第４閾値」と読み替える。図６に示す許否決定処理が終了したら、システムコントローラ３の処理がステップＳ２０１に戻る。
【０１３０】
投影装置本体部２（特に光源装置２７）の輝度設定が高輝度設定である場合には（ステップＳ２０３：ＮＯ）、図８に示す許否決定処理S200がシステムコントローラ３によって実行される。図６に示す許否決定処理が終了したら、システムコントローラ３の処理がステップＳ２０１に戻る。
【０１３１】
続いて、図８に示すフローチャートを参照して、これらの許否決定処理について説明する。図８に示すように、システムコントローラ３が、充電制御部８によって検出された蓄電残量に基づいて、計時時間に関するユーザー設定の選択肢（第１設定時間、第２設定時間、第３設定時間及び第４設定時間）の選択の許否を決定する（ステップＳ２０１Ａ〜ステップＳ２０４Ａ、ステップＳ２０１Ｂ〜ステップＳ２０４Ｂ、ステップＳ２０１Ｃ〜ステップＳ２０４Ｃ、ステップＳ２０１Ｄ〜ステップＳ２０４Ｄ参照）。
【０１３２】
図８を参照して、選択肢としての第１設定時間の選択の許否の決定処理について説明する。第１設定時間の選択の許否の決定に際しては高輝度設定用第１閾値及び低輝度設定用第１閾値が利用される。つまり、システムコントローラ３が、充電制御部８によって検出された蓄電残量を高輝度設定用第１閾値及び低輝度設定用第１閾値と比較する（ステップＳ２０１Ａ、Ｓ２０２Ａ）。
【０１３３】
比較の結果、蓄電残量が高輝度設定用第１閾値を超える旨がシステムコントローラ３によって判断されると（ステップＳ２０１Ａ：ＹＥＳ）、システムコントローラ３が第１設定時間の選択を許可する（ステップＳ２０３Ａ）。そして、システムコントローラ３は、第１設定時間の選択を許可したことを記憶する。その後、第２設定時間の選択の許否の決定処理に進む。
【０１３４】
比較の結果、蓄電残量が高輝度設定用第１閾値以下且つ低輝度設定用第１閾値を超える旨がシステムコントローラ３によって判断されると（ステップＳ２０１Ａ：ＮＯ、ステップＳ２０２Ａ：ＹＥＳ）、システムコントローラ３が第１設定時間の選択を条件付きで許可する（ステップＳ２０４Ａ）。そして、システムコントローラ３は、第１設定時間の選択を条件付きで許可したことを記憶する。その後、第２設定時間の選択の許否の決定処理に進む。
【０１３５】
比較の結果、蓄電残量が低輝度設定用第１閾値以下である旨がシステムコントローラ３によって判断されると（ステップＳ２０２Ａ：ＮＯ）、システムコントローラ３が第１設定時間の選択を禁止する（ステップＳ２０５Ａ）。そして、システムコントローラ３は、第１設定時間の選択を禁止したことを記憶する。その後、第２設定時間の選択の許否の決定処理に進む。
【０１３６】
そして、図８に示すように、第２設定時間の選択の許否の決定がなされ、次いで、第２設定時間の選択の許否の決定がなされ、次いで、第３設定時間の選択の許否の決定がなされ、次いで、第４設定時間の選択の許否の決定がなされる。第２設定時間、第３設定時間、そして第４設定時間の選択の許否の決定に際しては夫々高輝度設定用第２閾値及び低輝度設定用第２閾値、高輝度設定用第３閾値及び低輝度設定用第３閾値、高輝度設定用第４閾値及び低輝度設定用第４閾値が利用される。システムコントローラ３が充電制御部８によって検出された蓄電残量を高輝度設定用第２閾値及び低輝度設定用第２閾値、高輝度設定用第３閾値及び低輝度設定用第３閾値、高輝度設定用第４閾値及び低輝度設定用第４閾値と比較することによって第２設定時間、第３設定時間及び第４設定時間の選択の許否を決定する処理は、システムコントローラ３が充電制御部８によって検出された蓄電残量を高輝度設定用第１閾値及び低輝度設定用第１閾値と比較することによって第１設定時間の選択の許否を決定する処理と同じである。ステップＳ２０１Ｂ〜ステップＳ２０５Ｂ、ステップＳ２０１Ｃ〜ステップＳ２０５Ｃ、Ｓ２０１Ｄ〜ステップＳ２０５Ｄは、ステップＳ２０１Ａ〜ステップＳ２０５Ａにそれぞれ対応する
【０１３７】
電源装置９から充電制御部８に電力が供給されているか否かに関わらず、更に投影装置本体部２（特に光源装置２７）の輝度設定が低輝度設定と高輝度設定のどちらであっても、ユーザー９０が操作部６の操作によりユーザー設定モードのコマンドを入力すると、システムコントローラ３がユーザー設定処理を実行する。ユーザー設定処理は、図８に示す処理が１回以上行われた後に行われる。但し、図８に示す処理が繰り返し行われているので、ユーザー設定処理は許否決定処理（ステップＳ１００，Ｓ２００）と並行して行われることもある。なお、図８のステップＳ２０２，Ｓ２０４，２０３Ｄ〜Ｓ２０５Ｄに続いて、ユーザー設定処理が行われてもよい。
ユーザー設定処理は、計時時間についてのユーザー設定の選択肢（第１設定時間、第２設定時間、第３設定時間及び第４設定時間）の中から１つを選択するための処理である。以下、ユーザー設定処理について具体的に説明する。
【０１３８】
まず、システムコントローラ３がユーザー設定表示領域９３の表示信号を生成し、その表示信号を映像信号処理部２３に出力する。これにより、ユーザー設定表示領域９３の表示信号が映像信号処理部２３によって映像信号に重畳され、投影される映像９８にユーザー設定表示領域９３が合成される。
【０１３９】
この際、システムコントローラ３は、図６及び図８に示す許否決定処理（S100,S200）による記憶結果（ステップ１０２Ａ，Ｓ１０３Ａ，Ｓ１０２Ｂ，Ｓ１０３Ｂ，Ｓ１０２Ｃ，Ｓ１０３Ｃ，Ｓ１０２Ｄ，Ｓ１０３Ｄ，Ｓ２０２，Ｓ２０３Ａ〜Ｓ２０５Ａ，Ｓ２０３Ｂ〜Ｓ２０５Ｂ，Ｓ２０３Ｃ〜Ｓ２０５Ｃ，Ｓ２０３Ｄ〜Ｓ２０５Ｄ参照）に基づいて複数の選択肢（第１設定時間、第２設定時間、第３設定時間及び第４設定時間）の表示態様を決めて、その表示態様に従ったユーザー設定表示領域９３の表示信号を生成する。具体的には、選択が許可された選択肢と、条件付きで選択が許可された選択肢と、選択が禁止された選択肢とが識別可能な表示態様となるような表示信号をシステムコントローラ３が生成し、その表示信号を映像信号処理部２３に出力する。すなわち、許否決定手段で選択を禁止した選択肢と選択を許可した選択肢と、条件付きで選択を許可された選択肢とをそれぞれ識別できるように報知する。
【０１４０】
その後、ユーザー９０が操作部６を操作することによって、何れかの１つの選択肢を選択する。つまり、ユーザー９０が操作部６を操作することによって操作内容に応じた信号がシステムコントローラ３に出力され、システムコントローラ３がその信号に基づき何れか１つの選択肢を選択する。
この際、システムコントローラ３は、図６に示す許否決定処理（S100）又は図8に示す許否決定処理(S200)の結果により禁止された選択肢に選択することを受け付けない。
また、システムコントローラ３は、図６に示す許否決定処理（S100）又は図８に示す許否決定処理（S200）の結果により許可された選択肢に選択することを受け付ける。
また、システムコントローラ３は、図６に示す許否決定処理(S100)又は図８に示す許否決定処理（S200）の結果により条件付きで許可された選択肢に選択することを受け付ける。その場合、システムコントローラ３が低輝度を表す調光信号を光源制御部２６に出力し、光源制御部２６が光源装置２７を低輝度で発光させる。
【０１４１】
そして、ユーザー９０が操作部６を操作することによってタイマー開始アイコンを選択すると、システムコントローラ３が選択された選択肢（第１設定時間、第２設定時間、第３設定時間又は第４設定時間の何れか）の計時を開始する。計時中は、システムコントローラ３が表示時間９５を表示するための表示信号を生成して、その表示信号を映像信号処理部２３に出力する。そうすると、表示時間９５の表示信号が映像信号処理部２３によって映像信号に重畳され、投影される映像９８に表示時間９５が合成される。
【０１４２】
本実施形態によれば以下のような効果が生じる。
【０１４３】
（ａ）  蓄電池７の蓄電残量が多くなるほど、計時時間を長くすることができる。蓄電池７の蓄電残量が少なくなるほど、計時時間を短くすることができる。投影装置本体部２の輝度設定が低輝度設定である場合に選択することができる選択肢の数は、投影装置本体部２の輝度設定が高輝度設定である場合に選択することができる選択肢の数よりも多くなる傾向にある。よって、蓄電池７の蓄電残量の多少に応じて、計時に関するカスタマイズのバリエーションを変更することができる。
【０１４４】
（ｂ）  投影装置本体部２の輝度設定が低輝度設定である場合、投影装置１の動作可能な低輝度設定残り時間が第１設定時間以下になると、計時時間に関するユーザー設定において第１設定時間の選択が禁止されるので、計時途中で投影装置１の充電切れが発生することを防止することができる。投影装置１の動作可能な低輝度設定残り時間が第２設定時間、第３設定時間又は第４設定時間以下になる場合でも同様である。
【０１４５】
（ｃ）  投影装置本体部２の輝度設定が高輝度設定である場合、投影装置１の動作可能な高輝度設定残り時間が第１設定時間以下になると、計時時間に関するユーザー設定において第１設定時間の選択が条件付きで許可されるか、禁止されるので、計時途中で投影装置１の充電切れが発生することを防止することができる。投影装置１の動作可能な高輝度設定残り時間が第２設定時間、第３設定時間又は第４設定時間以下になる場合でも同様である。
【０１４６】
（ｄ）  投影装置本体部２の輝度設定が高輝度設定である場合、投影装置１の動作可能な高輝度設定残り時間が第１設定時間以下であっても、投影装置１の動作可能な低輝度設定残り時間が第１設定時間を超えれば、計時時間に関するユーザー設定において第１設定時間の選択が条件付きで許可される。そのため、上記（ｃ）のように第１設定時間の選択が原則出来ないものとしても、ユーザーがどうしても第１設定時間の計時を欲する場合には、第１設定時間の計時を行うことができる。第１設定時間の計時を行っても、投影装置本体部２の輝度設定が高輝度設定から低輝度設定に変更される。そのため、計時途中で投影装置１の充電切れが発生することを防止することができる。投影装置１の動作可能な高輝度設定残り時間が第２設定時間、第３設定時間又は第４設定時間以下になる場合でも同様である。
【０１４７】
〔変形例〕
上述の第１〜第３の実施形態の機能が投影装置１に併せて組み込まれ、システムコントローラ３が第１〜第３の実施形態の処理を行ってもよい。例えば、モード設定によって第一モードが設定された場合には、コントローラ３が第１実施形態の処理を実行し、モード設定によって第二モードが設定された場合には、コントローラ３が第２実施形態の処理を実行し、モード設定によって第三モードが設定された場合には、コントローラ３が第３実施形態の処理を実行する。モード設定は、ユーザー９０が投影装置１の操作部６を操作することによって第一モード、第二モード又は第三モードの何れかを選択することができるようにしたものである。
【０１４８】
また、上述した第１〜第３の実施形態では、システムコントローラ３が、まず、投影装置１の充電の有無判断を行い、充電中の場合、ユーザー設定の選択肢の全てを選択可能とする構成であるので、充電中で外部電源により投影装置１が動いている状態であって蓄電池の蓄電残量が少ない場合に、ユーザー設定の選択が非許可になってしまうことを防ぐことができる。
【０１４９】
以上に本発明の実施形態を説明したが、本発明の技術的範囲は上述の実施の形態に限定するものではなく、特許請求の範囲に記載に基づいて定められる。更に、特許請求の範囲に記載から本発明の本質とは関係のない変更を加えた均等な範囲も本発明の技術的範囲に含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
電子機器において、
蓄電池と、
前記蓄電池の蓄電残量を検出する残量検出部と、
前記電子機器の設定条件としての選択肢を複数有するユーザー設定の設定を行う設定手段と、
前記残量検出部によって検出された蓄電残量に基づいて、前記設定手段で設定される前記ユーザー設定に対応付けられている前記複数の選択肢の選択の許否を決定する許否決定手段と、
前記許否決定手段で選択を禁止した選択肢と選択を許可した選択肢とをそれぞれ識別できるように報知する報知手段と、
を備える、
ことを特徴とする電子機器。
＜請求項２＞
前記ユーザー設定の前記選択肢毎に、それぞれ異なる消費電力が設定されている
ことを特徴とする請求項１に記載の電子機器。
＜請求項３＞
前記残量検出手段により検出された蓄電残量と、前記選択肢を区別するための所定の閾値とを比較し、前記残量検出部によって検出された蓄電残量が前記閾値を超えると判断した場合は前記選択肢のうち前記閾値を超えたものに対応する選択肢を許可し、前記残量検出部によって検出された蓄電残量が前記閾値以下であると判断した場合に前記選択肢のうち前記閾値を超えたものに対応する選択肢の選択を禁止することを特徴とする請求項２に記載の電子機器。
＜請求項４＞
前記選択肢として高消費電力設定及び低消費電力設定があり、
前記許否決定手段は、前記残量検出部によって検出された蓄電残量を前記所定の閾値と比較して、前記残量検出部によって検出された蓄電残量が前記閾値を超えると判断した場合に前記高消費電力設定及び前記低消費電量設定の選択を許可し、前記残量検出部によって検出された蓄電残量が前記閾値以下であると判断した場合に前記低消費電力設定の選択を許可するとともに前記高消費電力設定の選択を禁止することを特徴とする請求項２または３に記載の電子機器。
＜請求項５＞
映像を投影する投影装置本体部を更に備え、
前記ユーザー設定の前記選択肢毎に、それぞれ異なる前記投影装置本体部の出力輝度が設定されている
ことを特徴とする請求項１から４のいずれか一項に記載の電子機器。
＜請求項６＞
前記選択肢として高輝度設定及び低輝度設定があり、
前記許否決定手段は、前記残量検出部によって検出された蓄電残量を所定の閾値と比較して、前記残量検出部によって検出された蓄電残量が前記閾値を超えると判断した場合に前記高輝度設定及び前記低輝度設定の選択を許可し、前記残量検出部によって検出された蓄電残量が前記閾値以下であると判断した場合に前記低輝度設定の選択を許可するとともに前記高輝度設定の選択を禁止することを特徴とする請求項５に記載の電子機器。
＜請求項７＞
前記ユーザー設定の前記選択肢毎にそれぞれ異なる計時時間が設定されている
ことを特徴とする請求項１から５の何れか一項に記載の電子機器。
＜請求項８＞
前記選択肢として所定の設定時間があり、
前記許否決定手段は、前記残量検出部によって検出された蓄電残量を所定の閾値と比較して、前記残量検出部によって検出された蓄電残量が前記閾値を超えると判断した場合に前記設定時間の選択を許可し、前記残量検出部によって検出された蓄電残量が前記閾値以下であると判断した場合に前記設定時間の選択を禁止する
ことを特徴とする請求項７に記載の電子機器。
＜請求項９＞
前記閾値により表される前記蓄電池の蓄電残量で前記電子機器の動作可能な残り時間に前記閾値を換算した場合にその換算値と前記設定時間が等しい
ことを特徴とする請求項８に記載の電子機器。
＜請求項１０＞
前記選択肢としての前記設定時間の数が複数であり、前記閾値の数が複数であり、複数の前記設定時間と複数の前記閾値とが互いに１対１で対応し、
前記許否決定手段は、前記残量検出部によって検出された蓄電残量と複数の前記閾値との比較の結果に基づき、複数の前記閾値にそれぞれ対応する複数の前記設定時間の選択の許否を決める
ことを特徴とする請求項８又は９に記載の電子機器。
＜請求項１１＞
前記選択肢として設定時間があり、
前記許否決定手段は、前記残量検出部によって検出された蓄電残量を所定の低閾値及びそれよりも高い高閾値と比較して、前記残量検出部によって検出された蓄電残量が前記高閾値を超えると判断した場合に前記設定時間の選択を許可し、前記残量検出部によって検出された蓄電残量が前記高閾値以下且つ前記低閾値を超えると判断した場合に前記設定時間の選択を条件付きで許可し、前記残量検出部によって検出された蓄電残量が前記低閾値以下である判断した場合に前記設定時間の選択を禁止し、
前記報知手段は、前記許否決定手段で選択を条件付きで許可した選択肢を識別できるように報知することを特徴とする請求項７から１０の何れか一項に記載の電子機器。
＜請求項１２＞
映像を投影する投影装置本体部を更に備え、
前記投影装置本体部の出力輝度の設定を高輝度設定にした状態の前記電子機器が前記高閾値により表される前記蓄電池の蓄電残量で動作可能な残り時間に前記高閾値を換算した場合にその換算値と前記設定時間が等しく、
前記投影装置本体部の出力輝度の設定を低輝度設定にした状態の前記電子機器が前記低閾値により表される前記蓄電池の蓄電残量で動作可能な残り時間に前記低閾値を換算した場合にその換算値と前記設定時間が等しい
ことを特徴とする請求項１１に記載の電子機器。
＜請求項１３＞
前記条件は、前記投影装置本体部の出力輝度の設定が高輝度設定から低輝度設定に変更されることである、
ことを特徴とする請求項１１又は１２に記載の電子機器。
＜請求項１４＞
前記選択肢としての前記設定時間の数が複数であり、前記高閾値の数が複数であり、前記低閾値の数が複数であり、複数の前記設定時間と複数の前記高閾値と複数の前記低閾値がそれぞれ１対１対１で対応し、
前記許否決定手段は、前記残量検出部によって検出された蓄電残量と複数の前記高閾値及び前記低閾値との比較の結果に基づき、複数の前記高閾値にそれぞれ対応する複数の前記設定時間の選択の許否を決める
ことを特徴とする請求項１１から１３の何れか一項に記載の電子機器。
＜請求項１５＞
前記電子機器が前記蓄電池の電力で動作している場合に、前記許否決定手段が、前記残量検出部によって検出された蓄電残量に基づいて前記ユーザー設定の選択肢の選択の許否を決定し、前記報知手段が前記許否決定手段で選択を禁止した選択肢と選択を許可した選択肢とをそれぞれ識別できるように報知することを特徴とする請求項１から１４の何れか一項に記載の電子機器。
＜請求項１６＞
コンピュータと蓄電池と前記蓄電池の残量を検出する残量検出部とを有する電子機器の前記コンピュータに、
前記電子機器の設定条件としての選択肢を複数有するユーザー設定の設定を行う設定工程と、
前記残量検出部によって検出された蓄電残量に基づいて、前記設定工程で設定される前記ユーザー設定に対応付けられている前記複数の選択肢の選択の許否を決定する許否決定工程と、
前記許否決定工程で選択を禁止した選択肢と選択を許可した選択肢とをそれぞれ識別できるように報知する報知工程と、
を実行させるためのプログラム。
＜請求項１７＞
電子機器に備わる残量検出部によって前記電子機器に備わる蓄電池の残量を検出する工程と、
前記電子機器の設定条件としての選択肢を複数有するユーザー設定の設定を行うことを前記電子機器のコンピュータに実行させる工程と、
前記残量検出部によって検出された蓄電残量に基づいて、前記設定工程で設定される前記ユーザー設定に対応付けられている前記複数の選択肢の選択の許否を決定することを前記コンピュータに実行させる工程と、
前記許否決定工程で選択を禁止した選択肢と選択を許可した選択肢とをそれぞれ識別できるように報知することを前記コンピュータに実行させる報知工程と、を含むことを特徴とする選択許否決定方法。
【符号の説明】
【０１５０】
１  投影装置（電子機器）
２  投影装置本体部
３  システムコントローラ（許否決定手段）（報知手段）（設定手段）
４  プログラムメモリ
５  プログラム
６  操作部
７  蓄電池
８  充電制御部（残量検出部）
【図１】
2014187488.tif 000007
【図２】
2014187488.tif 000008
【図３】
2014187488.tif 000009
【図４】
2014187488.tif 000010
【図５】
2014187488.tif 000011
【図６】
2014187488.tif 000012
【図７】
2014187488.tif 000013
【図８】
2014187488.tif 000014